(57)【要約】【課題】  従来の雨具は身体に密着するため、雨で濡れた感じが身体に伝わり、不快さを感じ使い心地が良いとはいえない。その従来の雨具の使用時のまつわりつく不快さを解消したものが近年発明されているがそれよりさらに快適で使いやすく、手に持った荷物を濡れないようにし、寒冷時に防寒用として利用できるようにする。また持ち運びが簡易になるようにする。【解決手段】  雨具をマント形式にして、雨具の生地自身を梱包材のエアーキャップ（登録商標）かエアーキャップ（登録商標）状に形成するか軟質の防雨・防水材料で二重構造にして中に空気を入れて形成する。持ち運びができるように適宜に空気弁付注入口を設ける。【選択図】        図２
2009013528.tif 000002
【特許請求の範囲】
【請求項１】
頭部を雨から保護するため帽子を設け、首から下の身体を雨から防護するマント形状にした雨具の生地を梱包材のエアーキャップ（登録商標）もしくは軟質の防雨・防水材料を使い梱包材のエアーキャップ（登録商標）のように形成したことを特徴とするマント形式の雨具。
【請求項２】
頭部を雨から保護するため帽子を設け、首から下の身体を雨から防護するようマント形状にした雨具の生地を軟質の防雨、防水材料で二重にして密閉した袋のようにして作り、二重にした軟質の防雨、防水材料内に適宜な大きさに相互に空気を通す仕切りか複数のスペーサー等により雨具表裏を固定、中に空気を注入し、所定の厚さにして形成したことを特徴とするマント形式の雨具。
【請求項３】
頭部を雨から保護するため帽子を設け、首から下の身体を雨から防護するようマント形状にした雨具の生地を軟質の防雨、防水材料で二重にして密閉した袋のようにして作り、二重にした軟質の防雨、防水材料内に適宜な大きさに相互に空気を通す仕切りか複数のスペーサー等により雨具表裏を固定、適宜に空気弁付注入口を設け、使用時に空気を注入し、所定の厚さにして形成、不使用時は空気を抜いて折りたたみ、持ち運びができることを特徴とするマント形式の雨具。
【発明の詳細な説明】
【技術分野】
【０００１】
本発明は、雨具に関する。
【背景技術】
【０００２】
従来の雨具は、傘をさすかレインコートや、マント、上下の合羽を着用し、雨に濡れないようにしている。しかし従来の雨具は身体に密着するため、雨で濡れた感じが身体に伝わり、不快さを感じ使い心地が良いとはいえない。従来の雨具の使用時のまつわりつく不快さを解消するため梯子状に空気を注入した骨組み構造のレインコート、ゴルフ用の合羽、マント内面に梯子状パットを骨格のように組み込んだマント式携帯雨具などが発明されているがマント形式の雨具でかつ雨具の生地自身に空気を注入した二重構造のものや梱包材のエアーキャップ（登録商標）、エアーキャップ（登録商標）状の材料で空気を介在した雨具は発明されていない。
【特許文献１】実用新案公開平６−１３５２９                      特開２００５−０８９９４５
【発明の開示】
【発明が解決しようとする課題】
【０００３】
課題１として従来の雨具は身体に密着するため、雨で濡れた感じが身体に伝わり、不快さを感じるため使い心地が良いとはいえない。雨具がまつわりつく不快さを解消したものが近年発明されているがそれよりさらに快適に使用しやすく、手に持った荷物が濡れないようにする。同時に寒冷時に体温の低下を防ぐことができ、防寒用として使用できるようにする。課題２として前記の雨具を簡単に持ち運び可能にする雨具を開発する。
【課題を解決するための手段】
【０００４】
マント形式の雨具は手軽に着用しやすい。そのマント形状の雨具の生地自身を梱包材のエアーキャップ（登録商標）かエアーキャップ（登録商標）状に成型した軟質の防雨・防水材料で形成するか、雨具の生地自身を軟質の防雨・防水材料で二重にして密閉した袋のようにして作り、二重にした軟質の防雨、防水材料内に適宜な大きさに相互に空気を通す仕切りか複数のスペーサー等により雨具の表裏を固定、中に空気を注入し、所定の厚さにして雨具を形成することにより身体との間に空間ができ、身体に触れる部分も直に雨を感じないためより快適に使用しやすいものができ、防寒用としても利用できるようになる。荷物はマント内で持てるので荷物も濡れない。以上により課題１は解決できる。頭部は従来の帽子により雨を防ぐ。
【０００５】
マント形状にした雨具の生地自身を軟質の防雨、防水材料で二重にして密閉した袋のようにして作り、二重にした軟質の防雨、防水材料内に適宜な大きさに相互に空気を通す仕切りか複数のスペーサー等により雨具表裏を固定、所定の厚さにして形成したものに適宜に空気弁付注入口を設け、使用時に空気を注入し、所定の厚さにして形成、不使用時は空気を抜いて折りたたみ、持ち運びができることを特徴とするマント形式の雨具にすることで課題２を解決できる。
【発明の効果】
【０００６】
よって、本発明により雨天時に着用しやすく使用時の不快感を解消することができる雨具ができる。手に持った荷物も濡れないようにできる。また持ち運びも可能になるものもできる。特に寒冷時には体温を外に出さないので保温もでき、体温の低下を防ぐことができるため防寒用として使用することもできる。
【発明を実施するための最良の形態】
【０００７】
該雨具に袖口６を設けると雨具の着脱や荷物の授受などに便利になる。また雨具前部にボタン、チャック、ファスナー、マジックテープ（登録商標）５などで開閉できるようにすると着脱が容易になる。さらに図４の５のように数段階にボタン、チャック、ファスナー、マジックテープ（登録商標）などで開閉できるようにすると防雨領域の調整が可能になる。カバーの裾部分を雨滴が滴り落ちないようＵ字形のような形状の雨滴誘導部３を設け、影響のないところに落とすようにする。雨具材料として梱包材のプチプチ（登録商標）、またはプチプチ（登録商標）に似た材料でも簡易に形成できる。
【産業上の利用可能性】
【０００８】
本発明による雨具は、従来の雨具使用の不快感を解消し、雨天時、簡易に利用でき、咄嗟の雨でも対応できるので、利用する人が増え、特に寒冷時には体温を外に出さないので保温もでき、体温の低下を防ぎ使用者の健康を護ることもできる。工業的にも量産することが可能であり、産業上の利用可能性を有する。  
【図面の簡単な説明】
【０００９】
【図１】請求項１、２の雨具の図である。
【図２】空気弁付注入口を設けた請求項３の雨具の図である。
【図３】雨具の生地内にスペーサーまたは適宜に空気を挿通する孔を設けた仕切りを構成し、内部に空気を注入して所定の厚さにすることを説明した図である。
【図４】開閉部を数段階にボタン、チャック、ファスナー、マジックテープ（登録商標）などで開閉できるようにし、防雨の領域を調整できることを説明した図である。
【符号の説明】
【００１０】
１    請求項１，２の雨具本体
２    頭部防雨用帽子
３    雨滴誘導部
４    雨具開閉部
５    ボタン、チャック、ファスナー、マジックテープ（登録商標）などでマントを開        閉
６    手出し入れ用袖口部及び換気口
７    空気が入っている部分
８    請求項３の雨具本体
９    スペーサーによる雨具生地厚さ設定説明部
１０    スペーサー
１１    雨具生地厚さ
１２    雨具生地表面部
１３    雨具生地裏面部
１４    仕切りによる雨具生地厚さ設定説明部
１５    仕切り部空気挿通孔
１６    雨具生地内仕切り部
１７    空気弁付注入口
１８    空気通路
【図３】
2009013528.tif 000003
【図１】
2009013528.tif 000004
【図２】
2009013528.tif 000005
【図４】
2009013528.tif 000006